(57)【要約】【課題】  本発明の目的は、コンクリートブロックから剥離離脱しにくいブロックマットの基布シートを提供すること。【解決手段】  基布シートＡは、シート本体１と該シート本体にループを形成するための別の独立したループ糸２を有する。  そして、基布シートは、シート本体、該シート本体の上に添着された縦方向及び横方向の挿入糸、該挿入糸をシート本体に連結する鎖糸、縦方向挿入糸４とシート本体とに絡まってループ部を形成するループ糸とよりなり、これら挿入糸、鎖糸３、及びループ糸２はシート本体１とは別の独立した糸であり、該ループ部２１がコンクリートブロックに埋め込まれて固定されるものである。【選択図】図１
2006241968.tif 000002
【特許請求の範囲】
【請求項１】
多数のコンクリートブロックを備えたブロックマットに用いられる基布シートであって、基布シートは、シート本体と該シート本体にループを形成するための別の独立したループ糸を有することを特徴とする基布シート。
【請求項２】
多数のコンクリートブロックを備えたブロックマットに用いられる基布シートであって、基布シートは、シート本体、該シート本体の上に添着された縦方向及び横方向の挿入糸、該挿入糸をシート本体に連結する鎖糸、縦方向挿入糸とシート本体とに絡まってループ部を形成するループ糸とよりなり、これら挿入糸、鎖糸、及びループ糸はシート本体とは別の独立した糸であり、該ループ部がコンクリートブロックに埋め込まれて固定されるものであることを特徴とする基布シート。
【請求項３】
シート本体が、不織布よりなることを特徴とする請求項２記載の基布シート。
【請求項４】
ループ糸は、単一の縦方向挿入糸に一定間隔で絡まりループ部を形成することを特徴とする請求項２記載の基布シート。
【請求項５】
ループ糸は、隣接する縦方向挿入糸に交互に絡まってループ部を形成することを特徴とする請求項２記載の基布シート。
【請求項６】
鎖糸が縦方向挿入糸とシート本体に絡まっていることを特徴とする請求項２記載の基布シート。
【請求項７】
コンクリートブロックが、貫通孔を通して連結具により連結されているものであることを特徴とする請求項２記載の基布シート。
【請求項８】
上記請求項１〜７から選ばれた１記載の基布シートを有するブロックマット。
【発明の詳細な説明】
【技術分野】
【０００１】
本発明は、護岸工事として整地した土面等の上に敷設されるコンクリートブロックマットに関し、特にそのコンクリートブロックマットに使用する基布シートに関し、更に詳しくは、多数のコンクリートブロックを備えたブロックマットに用いられる基布シートであって、基布シートに形成されたループ部がコンクリートブロックに埋め込まれるものである基布シートに関する。
そしてまた、その基布シートを有するブロックマットに関するものである。
【背景技術】
【０００２】
従来、護岸工事として整地して締固められた土面上に土砂吸出し防止シートを敷設し、この敷設シートの上に多数個のコンクリートブロックを設けて外観的に該ブロックが敷きつめられた様相を発現させる土木工法が知られている。
このような土木工法としてブロックマットや連節ブロックを使った工法があるが、前者においては、敷設シートとして採用される繊維シートにコンクリートブロックがボルト等の固着具を使って取付けられており、施工時、多数個のコンクリートブロックを一挙に敷設できる点で後者より利点がある。
【０００３】
しかし、固いコンクリートブロックを固定するにはボルト等の固着具を取り付けるための孔を開けたりする操作が必要であり、取付け作業が極めて厄介である。
そのため、ボルトを使用しないでコンクリートブロックを取り付ける方法が開発された。
すなわち、繊維シートに直接ループを形成し、ブロックマットを製造する際、そのループ部をコンクリートブロックに埋め込むことで一体化する方法である（例えば、特許文献１、２参照）。
これを製造するには、具体的には、透水性及び可撓性を有する繊維シート上に、多数のコンクリートブロックを同時成形するための型枠を載せた後、この型枠内にコンクリートのスラリーを注入してコンクリートブロックを繊維シートと一体成形している。
【０００４】
この工法のブロックマットにおいては、繊維シートとして、ループ状又はパイル状を形成した合成繊維又は天然繊維の編織物又は不織布、或いはニードルパンチング処理によりループ状又はパイル状を形成した合成繊維、天然繊維の不織布を用いている。
なお、不織布は、ブロックマットの繊維シートとして吸い出し効果があるために利便性が優れているために主として使用されている。
【０００５】
【特許文献１】特開昭５７−８１５１０号公報
【特許文献２】特公平１−５２１７９号公報
【発明の開示】
【発明が解決しようとする課題】
【０００６】
上記のような繊維シートでは、ループ又はパイルを直接一体的に備えた特殊な編織物やニードルパンチング処理により起毛させてループ又はパイルを形成した不織布を用いているが、確かに、何も形成されていない平らな繊維シートに比べると確実に繊維シートとコンクリートブロックとの剥離強度は向上する。
しかし、その強度は編織物や不織布から直接、ループやパイルを形成した編織物や不織布の材質自体の強度に依存しており自ずと限度がある。
そのため従来の繊維シートはループやパイルがその根元で破断し易く、重量物であるコンクリートブロックを支えるには必ずしも満足できる強度を発揮できるものではない。
結果的に繊維シートからコンクリートブロックが剥離して離脱してしまう危険性があった。
【０００７】
本発明は、かかる従来の背景技術をもとになされたもので、従来の問題点を克服するためになされたものである。
すなわち、本発明は、コンクリートブロックから剥離離脱しにくいブロックマットの基布シートを提供することである。
また、その基布シートを有するブロックマットを提供するものである。
【課題を解決するための手段】
【０００８】
かくして、本発明者は、このような課題背景に対して鋭意研究を重ねた結果、不織布にループやパイルを直接一体的に形成するのではなく、不織布とループやパイルを別体とすることにより、不織布あるいは織布を構成する繊維に影響されないループやパイルを形成することができる点を見出し、この知見に基づいて本発明を完成させたものである。
【０００９】
すなわち、本発明は、（１）、多数のコンクリートブロックを備えたブロックマットに用いられる基布シートであって、基布シートは、シート本体と該シート本体にループを形成するための別の独立したループ糸を有する基布シートに存する。
【００１０】
また、本発明は、（２）、多数のコンクリートブロックを備えたブロックマットに用いられる基布シートであって、基布シートは、シート本体、該シート本体の上に添着された縦方向及び横方向の挿入糸、該挿入糸をシート本体に連結する鎖糸、縦方向挿入糸とシート本体とに絡まってループ部を形成するループ糸とよりなり、これら挿入糸、鎖糸、及びループ糸はシート本体とは別の独立した糸であり、該ループ部がコンクリートブロックに埋め込まれて固定されるものである基布シートに存する。
【００１１】
また、本発明は、（３）、シート本体が、不織布よりなる上記（２）記載の基布シートに存する。
【００１２】
また、本発明は、（４）、ループ糸は、単一の縦方向挿入糸に一定間隔で絡まりループ部を形成する上記（２）記載の基布シートに存する。
【００１３】
また、本発明は、（５）、ループ糸は、隣接する縦方向挿入糸に交互に絡まってループ部を形成する上記（２）記載の基布シートに存する。
【００１４】
また、本発明は、（６）、鎖糸が縦方向挿入糸とシート本体に絡まっている上記（２）記載の基布シートに存する。
【００１５】
また、本発明は、（７）、コンクリートブロックが、貫通孔を通して連結具により連結されているものである上記（２）記載の基布シートに存する。
【００１６】
また、本発明は、（８）、上記（１）から（７）から選ばれた１記載の基布シートを有するブロックマットに存する。
【００１７】
なお、本発明の目的に添ったものであれば、上記（１）から（８）を適宜組み合わせた構成も採用可能である。
【発明の効果】
【００１８】
本発明によれば、基布シートＡはシート本体１にループ部２１を形成するための該シート本体２１とは別の独立した（即ち別体の）ループ糸２を有するので、ループ部２１の強度をシート本体１の強度とは関係なく独立して強くすることができる。
すなわち、基布シートＡの強度は、シート本体１を構成している編織物や不織布の材質自体の強度に依存しない。
そのため、コンクリートブロックＢにループ部２１が埋め込まれて固定された場合に、両者の剥離強度（連結強度）を大きく上げることができる。
シート本体１の上に添着された縦方向及び横方向の挿入糸４，５（以下、「縦方向の挿入糸４」、「横方向の挿入糸５」という場合もある）を備えたことで、シート本体自体の縦及び横方向の強度を更に上げることができる。
【００１９】
また、縦方向及び横方向の挿入糸４，５がシート本体１の変形を抑制するために、シート本体１を不織布とした場合、変形し易い不織布の欠点を補うことができる。
またループ糸２が、単一の縦方向挿入糸４に一定間隔で絡まりループ部２１を形成するようにしたことで、ループ部の大きさ（スパン）を製造時の編成の条件設定により容易に変えることができる。
またループ糸２が、隣接する縦方向挿入糸４に交互に絡まってループ部２１を形成するようにしたことで、同様にループ部の大きさ（スパン）を製造時に容易に変えることができる。
シート本体１を不織布とすることにより、吸い出し防止効果を十分発揮することができる。
【発明を実施するための最良の形態】
【００２０】
以下、本発明を実施するための最良の形態を図面に基づいて説明する。
図１は、ブロックマットＸを示し、（Ａ）は外観図、また（Ｂ）は一部拡大して概略的に示した断面図である。
このブロックマットＸは、基布シートＡとそれに固定された多数のコンクリートブロックＢとよりなる〔図１（Ａ）参照〕。
【００２１】
基布シートＡの一部（すなわちループ部）がコンクリートブロックＢに埋め込まれることにより、基布シートＡとコンクリートブロックＢとは強固に固定されている〔図１（Ｂ）参照〕。
【００２２】
図２は、上述したブロックマットＸに使用されているものを示したものであり、本発明の一実施形態に係る基布シートＡの例である。
そして図２（Ａ）は表面を示しており、図２（Ｂ）は裏面を示している。
基布シートＡは、ループ部２１を形成するための該シート本体１とは別の独立した（即ち別体の）ループ糸２を備えている。
すなわち、ループ糸２はシート本体１を構成する糸とは別体の糸を使ってループ部２１を形成しており、シート本体１と後述する縦方向挿入糸４に絡んで編み込まれている。
【００２３】
ここでシート本体１としては、不織布、編布、織布等を用いることができるが、コンクリートとシートの固着性能の面からは不織布が好適であり、ブロックマットに要求される土砂吸出し防止性能にも優れた素材である。
不織布、編布、織布等を構成している糸の材質としては、例えば、ポリアミド、ポリエステル、ポリアクリル等の合成繊維、綿、羊毛、絹等の天然繊維、半合成繊維等が採用される。
【００２４】
一方、ループ糸２の材質としては、例えば、ポリアミド、ポリエステル、ポリアクリル等の合成繊維、綿、羊毛、絹等の天然繊維、半合成繊維等を採用する。
シート本体１には縦方向挿入糸４と横方向挿入糸５が添着されており、後述するように、横方向挿入糸５は縦方向挿入糸４の下側に配置されている。
この縦方向及び横方向の挿入糸４，５は、やはり、シート本体１を構成する糸とは別の糸となっている。
シート本体１には挿入糸４，５やループ糸２の他に、鎖糸３が編成されている。
鎖糸３は、縦方向挿入糸４とシート本体１とに絡まって編み込まれ、両者を連結している。
【００２５】
図２（Ｂ）により、鎖糸３がシート本体１の裏側に絡まって編み込まれている状態が分かる。
そのため、横方向挿入糸５は縦方向挿入糸４に押さえ込まれてシート本体１に固定される。
縦方向挿入糸４とシート本体１に鎖糸３が絡まっているが、この縦方向挿入糸４とシート本体１に一定間隔でループ糸２が絡まってループ部２１を形成している。
このようなループ部２１は、ループ糸２がシート本体１を突き抜けて編成されることで形成される。
次にその編成組織を参照に説明する。
【００２６】
図３は、ループ糸２が、単一の縦方向挿入糸４とシート本体１に一定間隔で絡まりループ部２１を形成している基布シートＡ（編成組織）の例である。
この場合、一定間隔にするには針を飛び飛びに引っ掛けられることが必要である。
図３（Ａ）は、引っ掛ける針の方向を右方向の針に統一したものであり、図３（Ｂ）は引っ掛ける針の方向を左右の針に振ったものである。
【００２７】
図４は、シート本体１、縦方向挿入糸４、横方向挿入糸５、鎖糸３、及びループ糸２の相互の関係を示す図である。
横方向挿入糸５は、縦方向の挿入糸と鎖糸３とにより基布シートＡに押さえ付けられて固定されている状態が分かる。
【００２８】
図５は、ループ糸２が、隣接する縦方向の挿入糸４に交互に絡まってループ部２１を形成している基布シートＡの例である。
図５（Ａ）は、ループ糸２が右斜め方向及び左斜め方向と千鳥状に走っている。
そのためループ部２１は向きが交互に異なったものとなっていることから、コンクリートブロックＢに埋め込まれた場合には、固定力が大きくなる。
図５（Ｂ）は、ループ糸２が右斜め方向及び左斜め方向と千鳥状に走っているのは図５（Ａ）と同じであるが、ループ糸２が複数の針を飛び越えているために、形成されたループ部２１の大きさがより大きくなっている。
このようなループ糸２の編成の仕方は、引っ掛ける針を選ぶことにより、製造時に容易に行うことができる。
【００２９】
図６は、シート本体１、縦方向挿入糸４、横方向挿入糸５、鎖糸３、及びループ糸２の相互の関係を示す図である。
横方向挿入糸５は、縦方向の挿入糸４と鎖糸３とにより基布シートＡに押さえ付けられて固定されている状態が分かる。
【００３０】
図７は、ブロックマットＸにおける基布シートＡのループ部２１とコンクリートブロックＢとを固定した場合のループ部２１の状態を示す概略図である。
なお、コンクリートブロックＢは省略した。
【００３１】
図７（Ａ）は、図３（Ａ）の基布シートＡにコンクリートブロックＢを固定した場合であり、ループ部２１が起立して直線状にコンクリートブロックＢに埋め込まれている。
ループ糸２はシート本体１とは異なって独立した糸であるために、その糸の材質を選ぶことによりループ部２１の強度を独立して大きくすることができる。
ループ部２１を強いループ糸２で形成することでコンクリートブロックＢとの結合強度を適宜向上できる。
またループ部２１の大きさを選択することで、コンクリートブロックＢとの結合強度を調整できる。
【００３２】
図７（Ｂ）は、図５（Ａ）の基布シートＡにコンクリートブロックＢを固定した場合であり、ループ部２１が起立して千鳥状にコンクリートブロックＢに埋め込まれている。
ループ部２１が一直線状にはなく隣接する縦方向挿入糸に絡んでおりループ部２１が異なる方向に形成されるために多面的になり、コンクリートブロックＢとの結合強度がより確実となり得る。
この場合も、ループ部２１の大きさを選択することで、コンクリートブロックＢとの結合強度を調整できる。
【００３３】
ループ糸２を太い一本のフィラメント糸で構成するか、細い多数のフィラメント糸で構成するかは自由であるが、細い多数のフィラメント糸の場合、フィラメント糸同士の間にコンクリートブロックが食い込んでより大きい強度が出せることとなる。
更にはループ糸２を構成するフィラメント糸を円形以外の異形断面糸とすることで、コンクリートとの食い付きをより向上させることができる。
【００３４】
さて、本発明の基布シートＡは、縦方向挿入糸４及び横方向挿入糸５を有するために、縦及び横方向の強度が十分となる。
特に基布シートＡに不織布を用いた場合は、不織布の欠点である縦方向及び横方向の強度不足が補完される利点がある。
本発明においては、基布シートＡに対して、ループ糸２、鎖糸３、及び挿入糸４，５は、それぞれ別体で独立したものとなっているために、基布シートＡの材質に依存しないで、異なった強度を出すことができる。
勿論、鎖糸３、縦方向挿入糸４、横方向挿入糸５、ループ糸２同士の中でも互いに異なった強度とすることも可能である。
【００３５】
因みに、従来は基布シートＡからニードリングにより基布シートＡを構成する糸を引き出してループ部やパイル部を成形していたが、これだと、基布シートＡを構成する糸の強度に依存することとなり、例えばループ部２１のみ強度を上げることができない。
さて、ループ部２１の形状（大きさや形）は、編成条件において、ループ糸２を縦方向挿入糸４とシート本体１に絡ませる間隔を変えることで、簡単にループ部２１の大きさ（スパン）を変えることができる。
またループ糸２の絡まし方を単一の縦方向挿入糸４に限定しないで、合並ぶ縦方向挿入糸４に変えることによりループ部２１の大きさや形状を変えることができる。
【００３６】
以上、本発明を説明してきたが、本発明は上述した一実施形態にのみ限定されるものではなく、その本質を逸脱しない範囲で、他の種々の変形が可能であることはいうまでもない。
例えば、上述した一実施形態では、ループ糸２を縦方向挿入糸４に交絡させた例を示したが、横方向挿入糸５に交絡させるようにしても当然よい。
また、縦方向挿入糸４や横方向挿入糸５の間隔を調整することで、基布シートＡの強度を変えることができ、さらにまたループ部２１の大きさも変えることが可能である。
更には、図８に示すように、ループ部２１のシート本体１に対する角度やループ部２１の大きさをそれぞれ異なったものとすることも可能である。
この場合、ブロックに埋まったループ部２１が強い結合力を発揮することが実験で確かめられている。
また、基布シートＡに取り付けられているコンクリートブロックＢは、種々のコンクリート材料を使うことができ、また、コンクリート製のものに限らずループ部２１を埋め込み固定できるものであれば適用可能であり、勿論、自然石でもよい。
【００３７】
更にまた、本発明の基布シートＡはブロック（例えばコンクリートブロック）用としてのものであるが、このブロックとしては、いわゆる連節ブロック工法に使っているブロック類を使うことも当然可能である。
因みに連節ブロック工法とは、施工時、法面等に吸出し防止材（シート）を敷設した後、その上に縦方向や横方向に貫通孔を形成した比較的大型のブロックを載置して、各ブロック同士を連結する。
そしてこのブロック同士の連結は、図９に示すように、ブロックに形成した貫通孔Ｂ１に連結具６（例えば鉄棒や鉄線等）を共通に通すことで行うものである。
【００３８】
本発明においても、ブロックＢが大型の場合は、図９に示すように、縦方向及び横方向の貫通孔Ｂ１を設けたブロックに鉄棒等の連結具６を共通に挿通して各ブロックを連結拘束することで、ブロックマットとしての崩れ等を極力なくして強度的な利点を得ることができる。
最も、貫通孔Ｂ１は、縦方向又は横方向の一方だけの設けることも当然可能である。
【産業上の利用可能性】
【００３９】
本発明は、多数のコンクリートブロックＢを備えたブロックマットＸに用いられる基布シートＡに関するものであるが、基布シートＡに別体のループ部２１を形成しそれを埋め込むことによりコンクリートブロックＢと一体化する原理を利用する限り、基布シートＡに他の物体を一体化する固着分野に適用可能であり、その応用分野は広い。
【図面の簡単な説明】
【００４０】
【図１】図１は、ブロックマットを示した図であり、（Ａ）は外観図、（Ｂ）は一部拡大して概略的に示した断面図である。
【図２】図２はブロックマットに使用されている基布シートを示す図であり、（Ａ）は表面を示し、また（Ｂ）は裏面を示している。
【図３】図３は、ループ糸が、単一の縦方向挿入糸とシート本体に一定間隔で絡まりループ部を形成している基布シート（編成組織）の例であり、（Ａ）は、引っ掛ける針の右方向の針に統一したものであり、（Ｂ）は引っ掛ける針の方向を左右の針に振ったものである。
【図４】図４は、シート本体、縦方向挿入糸、横方向挿入糸、鎖糸、及びループ糸の相互の関係を示す図である。
【図５】図５は、ループ糸が、隣接する縦挿入糸に交互に絡まってループ部を形成している基布シートＡを示し、（Ａ）は、ループ糸が右斜め方向及び左斜め方向と千鳥状に走っているもの、（Ｂ）は、ループ糸が複数の針を飛び越えているものを示す。
【図６】図６は、シート本体、縦方向挿入糸、横方向挿入糸、鎖糸、及びループ糸の相互の関係を示す図である。
【図７】図７は、ブロックマットＸにおける基布シートのループ部とコンクリートブロックとの固定状態を示す概略図であり、（Ａ）は、図３（Ａ）の基布シートにコンクリートブロックを固定した場合、（Ｂ）は、図５（Ａ）の基布シートにコンクリートブロックを固定した場合を示す。
【図８】図８は、ループ部の形態の異なった例を示す概略図である。
【図９】図９は、ブロックマットの別の例を示す図であり、（Ａ）は外観図、（Ｂ）は一部拡大して概略的に示した断面図である。
【００４１】
１  シート本体１
２  ループ糸
２１  ループ部
３  鎖糸
４  縦方向挿入糸
５  横方向挿入糸
６  連結具
Ｘ  ブロックマット
Ａ  基布シート
Ｂ  コンクリートブロック
Ｂ１  貫通孔
Ｎ  編成針
【図１】
2006241968.tif 000003
【図２】
2006241968.tif 000004
【図３】
2006241968.tif 000005
【図４】
2006241968.tif 000006
【図５】
2006241968.tif 000007
【図６】
2006241968.tif 000008
【図７】
2006241968.tif 000009
【図８】
2006241968.tif 000010
【図９】
2006241968.tif 000011